(57)【要約】【課題】貯湯式温水器からの給湯流量を自由に増大することができる貯湯式温水器を提供すること。【解決手段】温水を貯湯する貯湯槽１を備えた貯湯式温水器において、水道の直圧がかかる給水管３を分岐して、一方の分岐管３ａを減圧弁４を介して貯湯槽１に接続し、給水管３を分岐した他方の分岐管３ｂを、水道の直圧がかかった状態で、貯湯槽１の湯と間接的に熱交換されて加熱される間接熱交換器１０に接続し、この間接熱交換器１０で加熱された直圧のかかった水道水と、間接熱交換器１０で加熱されていない直圧のかかった水道水とを合流させて給湯するようにする。【選択図】図２
2008111659.tif 000002
【特許請求の範囲】
【請求項１】
温水を貯湯する貯湯槽を備えた貯湯式温水器において、水道の直圧がかかる給水管を分岐して、一方の分岐管を減圧弁を介して貯湯槽に接続し、前記給水管を分岐した他方の分岐管を、水道の直圧がかかった状態で、貯湯槽の湯と間接的に熱交換されて加熱される間接熱交換器に接続し、この間接熱交換器で加熱された直圧のかかった水道水と、前記間接熱交換器で加熱されていない直圧のかかった水道水とを合流させて給湯することを特徴とする貯湯式温水器。
【請求項２】
貯湯槽の上部に出湯管を接続し、貯湯槽内の湯を前記直圧のかかった給湯とは別系統で給湯することを特徴とする請求項１記載の貯湯式温水器。
【発明の詳細な説明】
【技術分野】
【０００１】
本発明は、貯湯式温水器に関し、特に、貯湯式温水器からの給湯流量を増大することができる貯湯式温水器に関するものである。
【背景技術】
【０００２】
一般的に、貯湯式電気温水器においては、その貯湯槽に、水道の直圧がかかる給水管が接続され、この給水管の圧力を利用して、貯湯槽に貯留されている湯を押し上げ、給湯を行うようにしている。
【０００３】
ところで、従来、貯湯式電気温水器の貯湯槽に給水管を接続する場合、電気温水器の貯湯槽に水道の直圧がかからないようにするために、給水管の最上流側に減圧弁を配設し、この減圧弁を介して接続するようにしていた。
【発明の開示】
【発明が解決しようとする課題】
【０００４】
しかしながら、このように、給水管の最上流側に減圧弁を配設して、貯湯式電気温水器の貯湯槽に給水管を接続するようにすると、貯湯式電気温水器の配管系の水圧が、減圧弁によって規制されることとなり、貯湯式電気温水器から供給される給湯流量を増大することが困難であるという問題があった。
【０００５】
本発明は、上記従来の貯湯式電気温水器機の有する問題点に鑑み、貯湯式温水器からの給湯流量を自由に増大することができる貯湯式温水器を提供することを目的とする。
【課題を解決するための手段】
【０００６】
上記目的を達成するため、本発明の貯湯式温水器は、温水を貯湯する貯湯槽を備えた貯湯式温水器において、水道の直圧がかかる給水管を分岐して、一方の分岐管を減圧弁を介して貯湯槽に接続し、前記給水管を分岐した他方の分岐管を、水道の直圧がかかった状態で、貯湯槽の湯と間接的に熱交換されて加熱される間接熱交換器に接続し、この間接熱交換器で加熱された直圧のかかった水道水と、前記間接熱交換器で加熱されていない直圧のかかった水道水とを合流させて給湯することを特徴とする。
【０００７】
この場合において、貯湯槽の上部に出湯管を接続し、貯湯槽内の湯を前記直圧のかかった給湯とは別系統で給湯するようにすることができる。
【発明の効果】
【０００８】
本発明の貯湯式温水器は、水道の直圧がかかる給水管を分岐して、一方の分岐管を減圧弁を介して貯湯槽に接続し、前記給水管を分岐した他方の分岐管を、水道の直圧がかかった状態で、貯湯槽の湯と間接的に熱交換されて加熱される間接熱交換器に接続し、この間接熱交換器で加熱された直圧のかかった水道水と、前記間接熱交換器で加熱されていない直圧のかかった水道水とを合流させて給湯することにより、貯湯槽に給水管から水道の直圧がかからないようにしながら、貯湯式温水器の配管系の水圧を高めることができ、貯湯式温水器からの給湯流量を自由に増大することができる。
【０００９】
この場合において、貯湯槽の上部に出湯管を接続し、貯湯槽内の湯を前記直圧のかかった給湯とは別系統で給湯するようにすることにより、貯湯式温水器から高温の湯を供給することができる。
【発明を実施するための最良の形態】
【００１０】
以下、本発明の貯湯式温水器の実施の形態を図面に基づいて説明する。
【００１１】
図１に、貯湯式温水器の参考例を示す。
【００１２】
この貯湯式温水器は、水道の直圧がかかる給水管３を分岐して、一方の分岐管３ａを減圧弁４を介して貯湯槽１に接続するとともに、給水管３を分岐した他方の分岐管３ｂと、貯湯槽１に接続された逆止弁６ａを途中に配した出湯管６とを、給湯管７が接続された混合弁９に接続したものである。
【００１３】
この場合において、貯湯槽１内には、ヒーター２を配設するとともに、貯湯槽１の下部には、排水弁５ａを配設した排水管５を、また、貯湯槽１の上部には、圧力逃がし弁８ａを配設した圧力逃がし管８を、それぞれ接続するようにする。
【００１４】
また、給水管３を分岐した他方の分岐管３ｂにも、必要に応じて、逆止弁３ｃを配設することができる。
【００１５】
この貯湯式温水器は、貯湯槽１に給水管３から水道の直圧がかからないようにしながら、貯湯式温水器の配管系の水圧を高めることができ、貯湯式温水器からの給湯流量を自由に増大することができるものとなる。
【００１６】
次に、図２に、本発明の貯湯式温水器の第１実施例を示す。
【００１７】
この貯湯式温水器は、上記参考例の貯湯式温水器において、他方の分岐管３ｂに、出側２方向の流量比率を任意に調節できる流量比率調整弁３ｄを配設し、この流量比率調整弁３ｄから分岐した分岐管３ｅを貯湯槽１内に、例えば、水道の直圧をかけることができる螺旋状に配設した配管からなる間接熱交換器１０の入側に接続し、間接熱交換器１０の出側を流量比率調整弁３ｄの下流側の他方の分岐管３ｂに接続するようにしたものである。
【００１８】
この貯湯式温水器は、上記参考例の貯湯式温水器の有する作用に加え、水道の直圧をかけることができる貯湯槽１内に配設した間接熱交換器１０において給水管３からの水を間接加熱することができ、このため、貯湯式温水器から高温の湯を供給することができるものとなる。
【００１９】
次に、図３に、本発明の貯湯式温水器の第２実施例を示す。
【００２０】
この貯湯式温水器は、水道の直圧がかかる給水管３を分岐して、一方の分岐管３ａを減圧弁４を介して貯湯槽１に接続するとともに、給水管３を分岐した他方の分岐管３ｂに、出側２方向の流量比率を任意に調節できる流量比率調整弁３ｄを配設し、この流量比率調整弁３ｄから分岐した分岐管３ｅを貯湯槽１内に、例えば、水道の直圧をかけることができる螺旋状に配設した配管からなる間接熱交換器１０の入側に接続し、間接熱交換器１０の出側を流量比率調整弁３ｄの下流側の他方の分岐管３ｂに接続し、さらに、給湯管７に接続したものである。
【００２１】
この場合において、貯湯槽１の上部に接続した出湯管６を、他の系統の給湯管７Ａに接続するようにする。
【００２２】
なお、この貯湯式温水器のその他の構成は、上記参考例の貯湯式温水器と同様である。
【００２３】
この貯湯式温水器は、貯湯槽１に給水管３から水道の直圧がかからないようにしながら、貯湯式温水器の配管系の水圧を高めることができ、貯湯式温水器からの給湯流量を自由に増大することができ、また、貯湯槽１の上部に接続した出湯管６から、他の系統の給湯管７Ａに高温の湯を供給することができるものとなる。
【００２４】
以上、本発明の貯湯式温水器について、複数の実施例に基づいて説明したが、本発明の貯湯式温水器は、上記実施例に記載した構成に限定されるものではなく、本発明の貯湯式温水器の構成は、その趣旨を逸脱しない範囲において適宜に変更することが可能である。
【産業上の利用可能性】
【００２５】
本発明の貯湯式温水器は、貯湯式温水器からの給湯流量を自由に増大することができることから、貯湯式電気温水器の用途に好適に用いることができる。
【図面の簡単な説明】
【００２６】
【図１】貯湯式温水器の参考例を示す構成図である。
【図２】本発明の貯湯式温水器の第１実施例を示す構成図である。
【図３】本発明の貯湯式温水器の第２実施例を示す構成図である。
【符号の説明】
【００２７】
１    貯湯槽
２    ヒーター
３    給水管
３ｃ  逆止弁
３ｄ  流量比率調整弁
３ｅ  分岐管
４    減圧弁
５    排水管
６    出湯管
６ａ  逆止弁
７    給湯管
７Ａ  給湯管
８    圧力逃がし管
９    混合弁
１０  間接熱交換器
【図１】
2008111659.tif 000003
【図２】
2008111659.tif 000004
【図３】
2008111659.tif 000005